(57)【要約】【課題】それぞれ対向面を異極性に付勢ないし保持した一対の電磁石または永久磁石からなる磁極体の対向面間に、規則的または不規則的に所要間隔離間して位置する磁性体を配置することによって、前記磁極体の対向面間に形成した通路を流過する流動体中に含まれる微細磁性粒子の吸着分離除去を効率的に達成し、あるいは加熱条件下において微細磁性粒子の吸着分離除去を多機能的に達成することができる微細磁性粒子の分離除去装置を提供する。【解決手段】電磁石または永久磁石からなる一対の磁極体１４Ａ、１４Ｂをそれぞれ異極性に付勢ないし保持して対向配置し、前記一対の磁極体の対向面間に、微細磁性粒子を含む流動体を流過させる通路１６を形成すると共に、前記通路内に規則的または不規則的に所要間隔離間して位置する微細磁性粒子を吸着するための磁性体１８（２０）を配置した構成からなる。【選択図】図１
2008018422.tif 000002
【特許請求の範囲】
【請求項１】
電磁石または永久磁石からなる一対の磁極体をそれぞれ異極性に付勢ないし保持して対向配置し、前記一対の磁極体の対向面間に、微細磁性粒子を含む流動体を流過させる通路を形成すると共に、前記通路内に規則的または不規則的に所要間隔離間して位置する微細磁性粒子を吸着するための磁性体を配置したことを特徴とする微細磁性粒子の分離除去装置。
【請求項２】
電磁石または永久磁石からなる一対の磁極体をそれぞれ異極性に付勢ないし保持して対向配置し、前記一対の磁極体の対向面間に、微細磁性粒子を含む流動体を流過させる通路を形成し、前記通路の内面側に流過する流動体を過熱するための加熱装置を配設すると共に、前記通路内に規則的または不規則的に所要間隔離間して位置する微細磁性粒子を吸着するための磁性体を配置したことを特徴とする微細磁性粒子の分離除去装置。
【請求項３】
前記一対の磁極体の対向面間に配置される磁性体は、磁性材料からなる棒状体からなり、この棒状体を前記磁極体の対向面側に対し所定角度で所定間隔離間させて複数本設けたことを特徴とする請求項１または２記載の微細磁性粒子の分離除去装置。
【請求項４】
前記一対の磁極体の対向面間に配置される磁性材料からなる棒状体は、円柱、角柱、円錐、角錐、平板等から構成することを特徴とする請求項３記載の微細磁性粒子の分離除去装置。
【請求項５】
前記複数の棒状体は、磁極体の対向面間に形成される通路を流下する微細磁性粒子を含む流動体に対し交差する方向にそれぞれ配設することを特徴とする請求項３または４記載の微細磁性粒子の分離除去装置。
【請求項６】
前記複数の棒状体は、磁極体の対向面間においてそれぞれ一直線上に配置すると共に、全ての棒状体の離間距離が等しくなるように設定することを特徴とする請求項３ないし５のいずれかに記載の微細磁性粒子の分離除去装置。
【請求項７】
前記一対の磁極体の対向面間に配置される磁性材料からなる棒状体は、その一端、両端または中間部分を支持板で保持して棒状体ユニットを構成し、この棒状体ユニットを前記一対の磁極体の対向面間に出し入れ可能としかつ微細磁性粒子を含む流動体の流過方向に流動体の投入口と排出口とをそれぞれ設けたホルダに収納配置した構成からなることを特徴とする請求項３ないし６のいずれかに記載の微細磁性粒子の分離除去装置。
【請求項８】
前記棒状体を収納するホルダは、非磁性材料により前記一対の磁極体の対向面間の内周面を囲繞するように構成したことを特徴とする請求項７記載の微細磁性粒子の分離除去装置。
【請求項９】
それぞれ異極性に付勢ないし保持して対向配置された電磁石または永久磁石からなる一対の磁極体は、その対向面に対して、規則的または不規則的に所要の間隔で隣接して位置する凸部と凹部とをそれぞれ対称的に設けることを特徴とする請求項１ないし８のいずれかに記載の微細磁性粒子の分離除去装置。
【発明の詳細な説明】
【技術分野】
【０００１】
本発明は、電磁石または永久磁石を使用した磁気フィルタに係り、特に電磁石または永久磁石からなる一対の磁極体をそれぞれ異極性に付勢ないし保持して対向配置した対向面間において、微細磁性粒子を吸着するための磁性体を最適に配置することにより、各種の粉体、気体、液体等の流動体中に含まれる微細な磁性粒子の吸着分離除去を、常温あるいは加熱条件下において効率的に行うことができるように構成した微細磁性粒子の分離除去装置に関するものである。
【背景技術】
【０００２】
従来、流体中の磁性粒子を除去するための磁気フィルタとして、流体用の入口および出口を有する円筒状の容器の内部に、強磁性体からなり磁気粒子の吸着を司るフィルタ体（鋼製金網、スチールウール等）を設ける一方、容器の外部には、容器の周面に巻回したコイルよりなる電磁石を設けて、電磁石により所定の方向に磁力線を形成させてフィルタ体を磁化し、導入口から容器内に導かれてフィルタ体を通過し排出口から排出される流体に混在している磁気粒子を、この磁化されたフィルタ体に磁気吸着することにより分離、除去するように構成したものが開示され、さらに前記フィルタ体を磁化させる手段として永久磁石を使用した構成とすることもできる磁気フィルタが提案されている（特許文献１参照）。
【０００３】
また、磁性粉を添加した活性汚泥液が流れる流路に、磁石を有する回転ドラムの一部を臨ませると共に回転させて、その磁石で活性汚泥を磁気吸着して活性汚泥と処理水とに分離・回収するための活性汚泥の磁気分離装置として、前記回転ドラムの下部に、その回転ドラムの下部外周と側面を覆う湾曲流路を形成し、その回転ドラムの外周に、前記流路を流れ方向左右に仕切る鍔状の磁気吸着部材を設けると共に、その回転ドラムの上部に、この磁気吸着部材に吸着した活性汚泥を除去する掻取部材を設けた構成からなる磁気分離装置が提案されている（特許文献２参照）。
【０００４】
すなわち、この特許文献２に記載の磁気分離装置において、前記磁気吸着部材は薄円板で形成したディスクとし、このディスクの構成例として、例えば帯状に交互に着磁されたフェライト磁石からなるシート状磁石を平行に配置して構成したもの、あるいはディスクの外周に、所要の間隔を置いて多数の円筒状の磁石を配列して構成したもの等が開示されている。
【０００５】
一方、近年において、電子産業の急速な発展につれて、電子材料用や半導体製造用などに、高純度のシリカ、アルミナ等の非磁性金属酸化物が使用されるようになり、またデバイス製品の高度化につれて半導体用の封止材で使用される非磁性金属酸化物に対する要望は、単に不純物濃度を低減させるのみではなく、非磁性金属酸化物に含まれる、その成分以外の異物の個数を低減させることが必要とされるようになったことから、前記非磁性金属酸化物粉末を、磁力１０００ガウス以上の磁石に接触させることにより、非磁性金属酸化物粉末に混入される異物ないし不純物としての磁性粒子を除去するように構成した高純度非磁性金属酸化物粉末の製造方法が提案されている（特許文献３参照）。
【０００６】
すなわち、この特許文献３に記載の高純度非磁性金属酸化物粉末の製造方法において、前記非磁性金属酸化物粉末に混入される異物ないし不純物としての磁性粒子を除去するための磁石として、その形状は特に限定しないが格子状の磁石を用いることが好ましいとされ、例えば磁石の間隔を２ｍｍ以上とし、棒状の磁石が数本横に配列された形状で、その間隙を粉末が通過し、その際に異物粒子が磁石に吸着され、除去されることが開示されている。
【０００７】
前記特許文献１に記載の磁気フィルタ、もしくは特許文献２に記載の磁気分離装置においては、電子材料用や半導体製造用に使用する非磁性金属酸化物粉末に混入される異物ないし不純物としての磁性粒子を、除去する手段として、効率良くしかも確実に微細な磁性粒子を除去するには、構造的に不適当である。
【０００８】
また、このような微細な磁性粒子を効率良く吸着し除去するためには、磁石による磁極周辺における磁界（磁化力）が強く、磁界の変化（磁場勾配）が大きいことが必要である。しかしながら、前記特許文献３に記載されるような格子状の磁石の構成配置においては、例えば棒磁石の極性配置をどのように設定したとしても、磁界（磁化力）の強さや、磁界の変化（磁場勾配）を大きくするには限界があり、満足し得る磁性粒子の吸着ないし除去を行うことができない難点がある。
【０００９】
このような観点から、本発明者等は、それぞれ異極性に保持される電磁石の一対の対向する磁極体の対抗面あるいは永久磁石の対向面に、磁界の変化を大きく設定することができる凸部と凹部とを交互に設けることによって、微細磁性粒子を効率良く吸着除去することができる微細磁性粒子の除去装置を開発し、特許出願を行った（特許文献４参照）。
【００１０】
すなわち、前記特許文献４に記載の微細磁性粒子の除去装置は、電磁コイルまたは永久磁石によってそれぞれ異極性に付勢される１対の対向配置される電磁石の磁極体に、規則的または不規則的に所要の間隔で隣接して位置する凸部と凹部とを、それぞれ対称的に設けることによって、磁界の変化（磁場勾配）を大きく設定することができ、微細磁性粒子を効率良く吸着除去することができるものである。また、前記磁極体の対向面側に交互に設ける凸部と凹部との形状を種々変化させることによっても、それぞれ前記磁極体の対向面における磁界の変化（磁場勾配）を大きく設定することができ、微細磁性粒子を効率良く吸着除去することができるという特徴を有している。
【００１１】
さらに、従来において、複数種類の強磁性材（例えば、Nｉ,Cｏ,Fｅ等を含む材料）の粒子ないし粉体を分別ないし選別する手段として、前記強磁性材のそれぞれが異なるキュリー温度を有することから、所要の粒子ないし粉体の選別に際し、それぞれ所要のキュリー温度に対応して加熱することにより、加熱温度がキュリー温度以上となる強磁性材は常磁性となり、そのキュリー温度以下の強磁性材を磁性分離できることが知られている。
【００１２】
このような公知技術に基づいて、例えば、異なるキュリー温度を有する希土類磁石と強磁性材とを含む構造物を、互いのキュリー温度の中間温度に加熱することにより、加熱温度を超えるキュリー温度を有する強磁性材は磁石に磁気吸引される性質を維持するが、過熱温度以下のキュリー温度を有する希土類磁石は磁気吸引される性質を消失することから、この状態で磁石に接近させることにより、中間に配した搬送ベルトの表面に前記磁石の磁気吸引力によって、加熱温度を超えるキュリー温度を有する強磁性材と、過熱温度以下のキュリー温度を有する希土類磁石を、分別することができるようにした分別方法および分別装置が提案されている（特許文献５参照）。
【００１３】
前記特許文献５に記載の分別方法および分別装置においては、第１のキュリー温度を有する希土類磁石と、第１のキュリー温度より高い第２のキュリー温度を有する強磁性材とを含む構造物を、第１と第２のキュリー温度の中間温度に加熱する工程と、加熱された構造物の中から強磁性材を磁気吸引により選別し第１のシューターへ搬送する工程とを備え、第１のキュリー温度より高い第２のキュリー温度を有する強磁性材を第１のシューターに、第１のキュリー温度を有する希土類磁石を含む構造物を第２のシューターに、それぞれ収集するように構成されている。この場合、加熱手段としては、電磁誘導方式の高周波加熱装置が使用されている。
【００１４】
【特許文献１】特開平７−６８１０９号公報
【特許文献２】特開平８−１６８７９０号公報
【特許文献３】特開２００４−１０４２０号公報
【特許文献４】特開２００６−１５１８５号公報
【特許文献５】特開２００１−２１９０９３号公報
【発明の開示】
【発明が解決しようとする課題】
【００１５】
しかしながら、前述した特許文献４に記載の微細磁性粒子の除去装置においては、電磁コイルまたは永久磁石によってそれぞれ異極性に付勢される１対の対向配置される電磁石の磁極体の対向面間を、微細磁性粒子を含む流動体を流過させる通路とし、その通路間隔を設定するに際し、通路間隔を拡大して流体の処理能力を増大しようとしても、微細磁性粒子の吸着除去能力に限界があり、効率の良い吸着除去ができなくなる。そこで、電磁コイルや永久磁石の能力を高めることも可能であるが、このような構成とする場合には、設備コストおよび運転コストが増大し経済的に不利となる。
【００１６】
また、前述した特許文献５に記載の分別装置においては、加熱手段を使用することを目的とした専用装置であり、分別する材料を搬送する手段として搬送ベルトを使用することから、大型の設備となり、設備コストおよび運転コストが増大する難点がある。
【００１７】
そこで、本発明者等は、種々検討並びに試作を重ねた結果、電磁石または永久磁石からなる一対の磁極体をそれぞれ異極性に付勢ないし保持して対向配置し、これら一対の磁極体の対向面間には、微細磁性粒子を含む流動体を流過させる通路を形成すると共に、この通路内に、前記磁極体の対向面に対して所定角度で所定間隔離間させて複数本の磁性材料からなる棒状体を配置することにより、前記通路内を流過する流動体の流量を増大することができると共に、流体中に含まれる微細磁性粒子の吸着分離除去も有効かつ効率的に達成することができることを突き止めた。
【００１８】
本発明においては、一対の磁極体の対向面間に配置される磁性体について、磁性材料からなる棒状体からなり、この棒状体を前記磁極体の対向面側に対し所定角度で所定間隔離間させて複数本設けた構成とし、この場合に前記棒状体は、例えば円柱、角柱、円錐、角錐、平板等から構成することが可能であり、これらの構成によって微細磁性粒子の吸着分離除去を効率的に行うことができる。
【００１９】
また、本発明においては、磁性材料からなる棒状体について、その一端、両端または中間部分を支持板で保持して棒状体ユニットを構成し、この棒状体ユニットを前記一対の磁極体の対向面間に出し入れ可能とし、かつ微細磁性粒子を含む流動体の流過方向に流動体の投入口と排出口とをそれぞれ設けたホルダに収納配置した構成とすることによって、微細磁性粒子の吸着分離運転処理後における棒状態の清掃作業やメンテナンス作業に際しての取り扱いが簡便となる利点が得られる。
【００２０】
さらに、本発明においては、それぞれ異極性に付勢ないし保持して対向配置された電磁石または永久磁石からなる一対の磁極体につき、その対向面に対して、規則的または不規則的に所要の間隔で隣接して位置する凸部と凹部とをそれぞれ対称的に設けた構成とすることによって、前記磁性体に対する磁化を強化して微細磁性粒子の吸着分離除去をより効率的に達成することが可能となる。
【００２１】
さらにまた、本発明においては、前記構成からなる微細磁性粒子の分離除去するための構成において、微細磁性粒子を含む流動体を流過させる通路の内面側に、ここを流過する流動体を過熱するための加熱装置を配設することによって、例えば、異なるキュリー温度を有する強磁性材からなる粒子ないし粉体の選別を簡便に行うことができる。
【００２２】
また、加熱装置を配設することによって、常温で固体化し加熱によって流動化することができるチョコレート等の食品類や、合成樹脂材料等に含有される異物としての磁性材の分離除去を容易に行うことが可能となる。
【００２３】
従って、本発明の目的は、それぞれ対向面を異極性に付勢ないし保持した一対の電磁石または永久磁石からなる磁極体の対向面間に、規則的または不規則的に所要間隔離間して位置する磁性体を配置することによって、前記磁極体の対向面間に形成した通路を流過する流動体中に含まれる微細磁性粒子の吸着分離除去を効率的に達成し、あるいは加熱条件下において微細磁性粒子の吸着分離除去を多機能的に達成することができる微細磁性粒子の分離除去装置を提供することにある。
【課題を解決するための手段】
【００２４】
前記の目的を達成するため、本発明の請求項１に記載の微細磁性粒子の分離除去装置は、電磁石または永久磁石からなる一対の磁極体をそれぞれ異極性に付勢ないし保持して対向配置し、前記一対の磁極体の対向面間に、微細磁性粒子を含む流動体を流過させる通路を形成すると共に、前記通路内に規則的または不規則的に所要間隔離間して位置する微細磁性粒子を吸着するための磁性体を配置したことを特徴とする。
【００２５】
本発明の請求項２に記載の微細磁性粒子の分離除去装置は、電磁石または永久磁石からなる一対の磁極体をそれぞれ異極性に付勢ないし保持して対向配置し、前記一対の磁極体の対向面間に、微細磁性粒子を含む流動体を流過させる通路を形成し、前記通路の内面側に流過する流動体を過熱するための加熱装置を配設すると共に、前記通路内に規則的または不規則的に所要間隔離間して位置する微細磁性粒子を吸着するための磁性体を配置したことを特徴とする。
【００２６】
本発明の請求項３に記載の微細磁性粒子の分離除去装置は、前記一対の磁極体の対向面間に配置される磁性体が、磁性材料からなる棒状体からなり、この棒状体を前記磁極体の対向面側に対し所定角度で所定間隔離間させて複数本設けたことを特徴とする。
【００２７】
本発明の請求項４に記載の微細磁性粒子の分離除去装置は、前記一対の磁極体の対向面間に配置される磁性材料からなる棒状体を、円柱、角柱、円錐、角錐、平板等から構成することを特徴とする。
【００２８】
本発明の請求項５に記載の微細磁性粒子の分離除去装置は、前記複数の棒状体を、磁極体の対向面間に形成される通路を流下する微細磁性粒子を含む流動体に対し交差する方向にそれぞれ配設することを特徴とする。
【００２９】
本発明の請求項６に記載の微細磁性粒子の分離除去装置は、前記複数の棒状体を、磁極体の対向面間においてそれぞれ一直線上に配置すると共に、全ての棒状体の離間距離が等しくなるように設定することを特徴とする。
【００３０】
本発明の請求項７に記載の微細磁性粒子の分離除去装置は、前記一対の磁極体の対向面間に配置される磁性材料からなる棒状体を、その一端、両端または中間部分を支持板で保持して棒状体ユニットとして構成し、この棒状体ユニットを前記一対の磁極体の対向面間に出し入れ可能としかつ微細磁性粒子を含む流動体の流過方向に流動体の投入口と排出口とをそれぞれ設けたホルダに収納配置した構成からなることを特徴とする。
【００３１】
本発明の請求項８に記載の微細磁性粒子の分離除去装置は、前記棒状体を収納するホルダを、非磁性材料により前記一対の磁極体の対向面間の内周面を囲繞するように構成したことを特徴とする。
【００３２】
本発明の請求項９に記載の微細磁性粒子の分離除去装置は、それぞれ異極性に付勢ないし保持して対向配置された電磁石または永久磁石からなる一対の磁極体を、その対向面に対して、規則的または不規則的に所要の間隔で隣接して位置する凸部と凹部とをそれぞれ対称的に設けることを特徴とする。
【発明の効果】
【００３３】
本発明の請求項１に記載の微細磁性粒子の分離除去装置によれば、それぞれ異極性に付勢ないし保持して対向配置した電磁石または永久磁石からなる一対の磁極体の対向面間に、微細磁性粒子を含む流動体を流過させる通路を形成して、この通路内に前記磁極体の対向面に対して所定角度で所定間隔離間させて、例えば複数本の磁性材料からなる棒状体とした磁性体を配置することにより、前記通路内を流過する流動体の流量を増大することができると共に、流体中に含まれる微細磁性粒子の吸着分離除去を有効かつ効率的に達成することができる。
【００３４】
本発明の請求項２に記載の微細磁性粒子の分離除去装置によれば、微細磁性粒子を含む流動体を流過させる通路の内面側に、ここを流過する流動体を加熱するための加熱装置を配設することにより、異なるキュリー温度を有する強磁性材からなる粒子ないし粉体の選別を容易かつ簡便に行うことができると共に、加熱によって流動化する食品や、合成樹脂等に含有される異物としての磁性材の分離除去を容易に達成することができる。従って、この場合、従来の微細磁性粒子を分離除去する装置と比べて、比較的小型の構成にして設備コストおよび運転コストを低減し、多機能化を実現することができる経済性に優れた微細磁性粒子の分離除去装置を提供することができる。
【００３５】
本発明の請求項３および４に記載の微細磁性粒子の分離除去装置によれば、前記一対の磁極体の対向面間に配置される磁性体の構成として、磁性材料からなる棒状体を使用し、この棒状体を例えば円柱、角柱、円錐、角錐、平板等の形状に設定して、それぞれ磁極体の対向面側に対し所要角度で所要間隔離間させて複数本設けることにより、簡単な構成にして微細磁性粒子の吸着分離除去を効率的に達成できる装置を、比較的低コストに実現することができる。
【００３６】
本発明の請求項５および６に記載の微細磁性粒子の分離除去装置によれば、複数の棒状体を、磁極体の対向面間に形成される通路を流下する微細磁性粒子を含む流動体に対し交差する方向にそれぞれ配設したり、磁極体の対向面間においてそれぞれ一直線上に配置すると共に、全ての棒状体の離間距離が等しくなるように設定したりすることにより、微細磁性粒子の吸着分離除去をより一層効率的に達成することができる。
【００３７】
本発明の請求項７および８に記載の微細磁性粒子の分離除去装置によれば、微細磁性粒子の吸着分離除去を行う磁性体を構成する複数の棒状体については、それぞれその一端、両端または中間部分を支持板で保持して棒状体ユニットを構成し、この棒状体ユニットを、微細磁性粒子を含む流動体の流過方向に流動体の投入口と排出口とをそれぞれ設けたホルダに収納配置した構成とすることにより、一対の磁極体の対向面間に対して簡便かつ容易に出し入れ可能となり、装置の微細磁性粒子吸着分離運転処理における装備および清掃並びにメンテナンス作業等を効率的に行うことができる。
【００３８】
本発明の請求項９に記載の微細磁性粒子の分離除去装置によれば、微細磁性粒子の吸着分離除去を行う磁性体を磁化する磁極体の構成として、先に提案した構成を採用することにより、微細磁性粒子の吸着分離除去をより効率的に達成することができる。
【発明を実施するための最良の形態】
【００３９】
次に、本発明に係る微細磁性粒子の分離除去装置の実施の形態につき、添付図面を参照しながら以下詳細に説明する。
【００４０】
図１は、本発明に係る微細磁性粒子の分離除去装置の第１の実施の形態としての原理構成を示すものである。すなわち、図１において、参照符号１０は電磁石のＣ形ヨークを示し、このヨーク１０のそれぞれ対向する両端部側に電磁コイル１２Ａ、１２Ｂが巻装されると共に、前記ヨーク１０の対向面にそれぞれ異極性に付勢される１対の磁極体１４Ａ、１４Ｂが結合配置される。なお、前記１対の磁極体１４Ａ、１４Ｂを異極性に保持する手段として、前記電磁石に代えて永久磁石を使用することもできる。
【００４１】
前記異極性に付勢ないし保持された１対の磁極体１４Ａ、１４Ｂの対向面は、相互に所要間隔で離間させて配置し、その対向面間には、微細磁性粒子を含む流動体を流過させるための通路１６を形成する。そして、このように形成した通路１６内には、規則的または不規則的に所要間隔離間して位置するように、微細磁性粒子を吸着するための磁性体１８を配置した構成からなる。
【００４２】
次に、前述した基本構成からなる微細磁性粒子の分離除去装置において、異極性に付勢ないし保持された１対の磁極体１４Ａ、１４Ｂの対向面間に、それぞれ配置される磁性体１８の実施例について説明する。
【００４３】
図２の（ａ）〜（ｄ）は、１対の磁極体１４Ａ、１４Ｂの対向面間に配置される磁性体１８の一実施例を示すものである。すなわち、本実施例において、１対の磁極体１４Ａ、１４Ｂはそれぞれ矩形板状に構成され〔図２の（ａ）、（ｄ）参照〕、これら磁極体１４Ａ、１４Ｂの対向面間に、磁性材料からなる複数の棒状体２０を、図示のように整列させて配置した構成からなる。この場合、前記複数の棒状体２０は、好適には図２の（ａ）、（ｃ）に示すように同一径寸法の円柱とし、磁極体１４Ａ、１４Ｂの対向面間に形成される通路１６を流下する微細磁性粒子を含む流動体に対し交差する方向にそれぞれ平行に配設する〔図２の（ａ）、（ｂ）参照〕。しかも、これら複数の棒状体２０は、磁極体１４Ａ、１４Ｂの対向面間においてそれぞれ一直線上に配置すると共に、全ての棒状体２０の離間距離が等しくなるように設定することにより、磁極体１４Ａ、１４Ｂによる複数の棒状体２０からなる磁性体１８への磁化効率を高めて、均一な磁化を達成することができる〔図２の（ｃ）参照〕。
【００４４】
なお、前述した磁性材料からなる複数の棒状体２０については、図示例の円柱形状に限定されることなく、例えば角柱、円錐、角錐、平板等の形状に設定することができる。そして、棒状体２０をこれらの形状とした場合、その径寸法はそれぞれ任意の寸法に設定することができるばかりでなく、異種の形状ないしは異径の寸法の組み合わせとすることもできる。さらに、これらの棒状体２０は、流動体に対し垂直に交差しても、斜めに交差してもよく、しかも前記棒状体２０は、相互に不平行ないしは離間距離が不均等であってもよく、それぞれ磁化効率が高められる配置構成であれば十分である。
【００４５】
また、前記複数の棒状体２０を、磁極体１４Ａ、１４Ｂの対向面間に配置する磁性体１８の１セットとして構成する場合、全ての棒状体２０の形状を同一にする必要はなく、異なる形状の棒状体２０を組み合わせて使用することができる。同様に、径寸法についても全ての棒状体２０の径寸法を同一にする必要はなく、異なる径寸法の棒状体２０を組み合わせて使用することもできる。
【００４６】
図３の（ａ）〜（ｄ）は、１対の磁極体１４Ａ、１４Ｂの対向面間に配置される磁性体１８の別の実施例を示すものである。すなわち、本実施例においては、１対の磁極体１４Ａ、１４Ｂをそれぞれ円板状に構成し〔図３の（ａ）、（ｄ）参照〕、これら磁極体１４Ａ、１４Ｂの対向面間に、磁性材料からなる複数の棒状体２０を、前記図２に示す実施例と同様に整列させて配置した構成からなる〔図３の（ａ）、（ｂ）、（ｃ）、（ｄ）参照〕。その他の構成については、前記実施例と同一であるので、同一の構成要素については、それぞれ同一の参照符号を付し、詳細な説明は省略する。
【００４７】
図４の（ａ）〜（ｄ）は、１対の磁極体１４Ａ、１４Ｂの対向面間に配置される磁性体１８のさらに別の実施例を示すものである。すなわち、本実施例においては、１対の磁極体１４Ａ、１４Ｂをそれぞれ円板状に構成し〔図４の（ａ）、（ｄ）参照〕、これら磁極体１４Ａ、１４Ｂの対向面間に、磁性材料からなる複数の棒状体２０を、前記図３に示す実施例と同様に整列させて配置した構成からなる〔図４の（ａ）、（ｂ）、（ｃ）、（ｄ）参照〕。本実施例においては、それぞれ異極性に付勢ないし保持して対向配置された電磁石または永久磁石からなる一対の磁極体１４Ａ、１４Ｂについて、その対向面に対して、規則的または不規則的に所要の間隔で隣接して位置する凸部１７Ａと凹部１７Ｂとをそれぞれ対称的に設けた磁極板１５Ａ、１５Ｂを一体的に設けた構成からなる。すなわち、前記磁極板１５Ａ、１５Ｂの構成は、特許文献４において提案されたものであり、このような構成とすることにより、磁性体に対する磁化力を高めて、微細磁性粒子の吸着分離除去をより効率的に達成することが可能となる。その他の構成については、前記実施例と同一であるので、同一の構成要素については、それぞれ同一の参照符号を付し、詳細な説明は省略する。
【００４８】
前述したそれぞれの実施例においては、１対の磁極体１４Ａ、１４Ｂの対向面間に配置される磁性体１８について、基本的な配置構成の実施例についてそれぞれ説明したが、本発明に係る微細磁性粒子の分離除去装置として、実際に組み立てる場合に便宜な構成となる実施例について、以下詳細に説明する。
【００４９】
そこで、本発明に係る微細磁性粒子の分離除去装置における要部である、磁性体１８を構成する棒状体ユニット２２と、この棒状体ユニット２２を収納するホルダ３０の構成例について、それぞれ説明する。すなわち、磁性体１８としての棒状体２０は、比較的多量の微細磁性粒子が付着されることから、その清掃のために比較的頻繁に通路１６内から出し入れする必要がある。そこで、棒状体ユニット２２と、これを収納するホルダ３０は、前述した各実施例からなる棒状体２０を、異極性に付勢ないし保持された１対の磁極体１４Ａ、１４Ｂの対向面間に形成される流動体の通路１６内において、安定かつ容易に出し入れ自在に設置する場合に、その取り扱いに便宜な構成とする場合の実施例である。
【００５０】
図５の（ａ）〜（ｄ）は、棒状体ユニット２２の好適な一実施例を示すものである。本実施例の棒状体ユニット２２Ａは、一対の対向する支持板２３Ａ、２３Ｂの間に、磁性材料からなる複数の棒状体２０ａ、２０ｂをそれぞれ平行に整列配置して、それらの両端部を固定した構成からなる。この場合、複数の棒状体２０ａ、２０ｂは、上下方向において交互にそれらの一端を対向する一方の支持板２３Ａ、２３Ｂにそれぞれ結合固定した構成とする。すなわち、前記一方の支持板２３Ａには、棒状体２０ａの一端がそれぞれ結合固定され、前記他方の支持板２３Ｂには、棒状体２０ｂの一端がそれぞれ結合固定される。そして、前記一方の支持板２３Ａには、前記棒状体２０ｂの他端を固定するための挿通孔がそれぞれ設けられると共に、前記他方の支持板２３Ｂには、前記棒状体２０ａの他端を固定するための挿通孔がそれぞれ設けられる。従って、このように構成された一対の支持板２３Ａ、２３Ｂを、それぞれ棒状体２０ａ、２０ｂを交差するようにして対向位置させることによって、本実施例の棒状体ユニット２２Ａを組み立てることができる。
【００５１】
図６の（ａ）〜（ｄ）は、棒状体ユニット２２を収納するホルダ３０の好適な一実施例を示すものである。本実施例のホルダ３０は、上端と下端にそれぞれ上部フランジ３２Ａと下部フランジ３２Ｂを備えると共に、上下方向に開通して流動体の投入口と排出口を形成する長方形の通路部形成開口３４を備えた通路部形成本体３６からなり、前記上部フランジ３２Ａの長手方向の両端には、それぞれ一対の運搬用ハンドル３３，３３を設けた構成からなる。このように構成したホルダ３０に対しては、前記上部フランジ３２Ａ側に設けられた通路部形成開口３４より、前述ないし後述する実施例の棒状体ユニット２２を適正に挿入配置することができる。従って、本実施例のホルダ３０は、前記通路部形成本体３６の長手方向の両側面に対し、それぞれ上部フランジ３２Ａと下部フランジ３２Ｂとを介して、前述した一対の磁極体１４Ａ、１４Ｂの対向面間に密接するように挿通配置することにより、微細磁性粒子を含む流動体の案内通路１６を構成することができる。
【００５２】
図７の（ａ）〜（ｄ）は、棒状体ユニット２２の別の実施例を示すものである。本実施例の棒状体ユニット２２Ｂは、一対の対向する支持板２４Ａ、２４Ｂを重ね合わせることにより、磁性材料からなる複数の棒状体２０ａ、２０ｂをそれぞれ平行に整列配置して、それらの一端部を固定した構成からなる。この場合、複数の棒状体２０ａ、２０ｂは、上下方向において対称的にそれらの一端部をそれぞれ支持板２４Ａ、２４Ｂにそれぞれ結合固定した構成とする。すなわち、前記一方の支持板２４Ａには、棒状体２０ａの一端部がそれぞれ結合固定され、前記他方の支持板２４Ｂには、棒状体２０ｂの一端部がそれぞれ結合固定される。そして、このように構成された一対の支持板２４Ａ、２４Ｂを、それぞれ棒状体２０ａ、２０ｂの他端部が自由端となるようにして重ね合わせることによって、本実施例の棒状体ユニット２２Ｂを組み立てることができる。なお、参照符号２５は、前記重ね合わせた支持板２４Ａ、２４Ｂを堅固に固定するための結合部材である。なお、本実施例においては、棒状体２０ａ、２０ｂの長さを前述した実施例と比較して半減できるため、支持板２４Ａ、２４Ｂにおける支持荷重を軽減できる利点がある。
【００５３】
図８の（ａ）〜（ｄ）は、棒状体ユニット２２のさらに別の実施例を示すものである。本実施例の棒状体ユニット２２Ｃは、一対の対向する支持板２６Ａ、２６Ｂを重ね合わせることにより、磁性材料からなる複数の棒状体２０ａ、２０ｂをそれぞれ平行に整列配置して、それらの中央部を固定した構成からなる。この場合、複数の棒状体２０ａ、２０ｂは、上下方向において交互にそれらの中央部を対向する一方の支持板２６Ａ、２６Ｂにそれぞれ結合固定した構成とする。すなわち、前記一方の支持板２６Ａには、棒状体２０ａの中央部がそれぞれ結合固定され、前記他方の支持板２６Ｂには、棒状体２０ｂの中央部がそれぞれ結合固定される。そして、前記一方の支持板２６Ａには、前記棒状体２０ｂを挿通するための挿通孔がそれぞれ設けられると共に、前記他方の支持板２６Ｂには、前記棒状体２０ａを挿通するための挿通孔がそれぞれ設けられる。従って、このように構成された一対の支持板２６Ａ、２６Ｂを、それぞれ棒状体２０ａ、２０ｂを相互に挿通して重ね合わせることによって、本実施例の棒状体ユニット２２Ｃを組み立てることができる。従って、本実施例においては、重ね合わせた支持板２４Ａ、２４Ｂを固定するための結合部材を特に必要としない。
【００５４】
図９の（ａ）〜（ｇ）は、前述した図５に示す棒状体ユニット２２Ａと、これを収納する図６に示すホルダ３０との組み立て状態を順次示す説明図である。なお、棒状体ユニット２２Ａの組み立てについては、図５の（ａ）〜（ｄ）に示す実施例と同一の構成要素については、同一の参照符号を付したので、それらの説明を併せ参照されたい。
【００５５】
図１０の（ａ）〜（ｈ）は、前述した図８に示す棒状体ユニット２２Ｃと、これを収納する図６に示すホルダ３０との組み立て状態を順次示す説明図である。なお、棒状体ユニット２２Ｃの組み立てについては、図８の（ａ）〜（ｄ）に示す実施例と同一の構成要素については、同一の参照符号を付したので、それらの説明を併せ参照されたい。
【００５６】
図１１は、本発明に係る微細磁性粒子の分離除去装置の第２の実施の形態としての原理構成を示すものである。なお、図１１において、前述した図１に示す第１の実施の形態の原理構成と同一の構成要素には同一の参照符号を付し、その詳細な説明は省略する。
【００５７】
図１１において、それぞれ異極性に付勢ないし保持された１対の磁極体１４Ａ、１４Ｂの対向面は、相互に所要間隔で離間させて配置され、その対向面間には、微細磁性粒子を含む流動体を流過させるための通路１６が形成される。このように形成された通路１６内には、規則的または不規則的に所要間隔離間して位置するように、微細磁性粒子を吸着分離するための磁性体１８を配置した構成からなる。しかるに、本実施の形態においては、前記微細磁性粒子を含む流動体を流過させる通路１６の内面側に、ここを流過する流動体を加熱するための加熱装置４０を配設した構成からなる。
【００５８】
なお、前記構成からなる本実施の形態における加熱装置４０を備えた微細磁性粒子の分離除去装置において、前記通路１６内に規則的または不規則的に所要間隔離間して位置するように配置する微細磁性粒子を吸着分離するための磁性体１８については、前述した図２ないし図１０に示す実施例の構成を全て採用することができる。
【００５９】
本実施の形態において、前記加熱装置４０としては、電気加熱ヒータを使用することができる。また、高周波誘導加熱コイルを使用する高周波加熱装置を適用することもできる。この場合、加熱装置４０を配設した通路１６の内面は加熱された流動体が円滑に流過し得ると共に磁気透過性に優れた素材を使用して形成する。また、加熱装置４０を配設した磁極体１４Ａ、１４Ｂの対向面との間には、適宜磁気透過性を有する断熱材を設けて磁極体１４Ａ、１４Ｂに対する断熱を行うように構成する。従って、このように構成される本実施の形態における微細磁性粒子の分離除去装置は、加熱装置４０を作動させない場合においても、微細磁性粒子の分離除去処理を有効に達成できるように構成される。
【００６０】
次に、本実施の形態における加熱装置４０を備えた微細磁性粒子の分離除去装置を使用する微細磁性粒子の分離除去処理例について説明する。
【００６１】
分離除去処理例１：
微細磁性粒子の分離除去の対象として、キュリー温度が約３５８℃のＮiの粉体と、キュリー温度が約７７１℃のＦeの粉体とを混合した試料を使用する。この場合、加熱装置４０により４００〜４５０℃に温度設定し、前記試料を流過させる通路１６内に設ける磁性粒子を吸着分離するための磁性体１８は、４５０℃以上のキュリー温度を有する磁性体（例えば、Ｆe）で構成する。このように構成した本発明に係る微細磁性粒子の分離除去装置により、通路１６内に前記試料を流過させた場合、Ｎi粉体は常磁性体となるが、Ｆe粉体は強磁性体のままであるため、Ｎi粉体は前記磁性体１８を通過して所要の回収容器に回収され、Ｆe粉体は前記磁性体１８に吸着分離することができた。
なお、Ｆeの粉体に代えて、ステンレス粉体（ＳＵＳ３０４に応力が加わり組成が変化して磁性を帯びた状態のもの）を使用した場合、このステンレス粉体を前記磁性体１８に吸着分離することができた。
【００６２】
分離除去処理例２：
微細磁性粒子の分離除去の対象として、キュリー温度が約７７１℃のＦeの粉体と、キュリー温度が約１１１７℃のＣoの粉体とを混合した試料を使用する。この場合、加熱装置４０により８００〜８５０℃に温度設定し、前記試料を流過させる通路１６内に設ける磁性粒子を吸着分離するための磁性体１８は、１１１７℃以上のキュリー温度を有する磁性体（例えば、Ｃo）で構成する。このように構成した本発明に係る微細磁性粒子の分離除去装置により、通路１６内に前記試料を流過させた場合、Ｆe粉体は常磁性体となるが、Ｃo粉体は強磁性体のままであるため、Ｆe粉体は前記磁性体１８を通過して所要の回収容器に回収され、Ｃo粉体は前記磁性体１８に吸着分離することができた。
【００６３】
分離除去処理例３：
微細磁性粒子の分離除去の対象として、ステンレス粉体（ＳＵＳ３０４に応力が加わり組成が変化して磁性を帯びた状態のもの）が混入したチョコレートを使用する。この場合、チョコレートの溶融温度は、約３７℃で非磁性であり、ステンレス粉体は３８℃では磁性体である。そこで、加熱装置４０により３７〜３８℃に温度設定し、前記チョコレートを流過させる通路１６内に設ける磁性粒子を吸着分離するための磁性体１８は、４０℃以上のキュリー温度を有する磁性体（例えば、Ｆe）で構成する。このように構成した本発明に係る微細磁性粒子の分離除去装置により、通路１６内に前記チョコレートを流過させた場合、チョコレートは溶融されて所要の回収容器に回収され、ステンレス粉体は前記磁性体１８に吸着分離除去することができた。
【００６４】
分離除去処理例４：
微細磁性粒子の分離除去の対象として、ステンレス粉体（ＳＵＳ３０４に応力が加わり組成が変化して磁性を帯びた状態のもの）が混入したエポキシ樹脂を使用する。この場合、エポキシ樹脂は、６０℃まで加熱することができ、温度上昇と共に粘性が低下するする性質を有し、約５０℃で非磁性であり、ステンレス粉体は５０℃では磁性体である。そこで、加熱装置４０により５０℃に温度設定し、前記エポキシ樹脂を流過させる通路１６内に設ける磁性粒子を吸着分離するための磁性体１８は、５０℃以上のキュリー温度を有する磁性体（例えば、Ｆe）で構成する。このように構成した本発明に係る微細磁性粒子の分離除去装置により、通路１６内に前記エポキシ樹脂を流過させた場合、エポキシ樹脂は溶融されて所要の回収容器に回収され、ステンレス粉体は前記磁性体１８に吸着分離除去することができた。なお、この場合、常温（２５℃）では、前記ステンレス粉体は５０％の吸着分離除去であったが、６０℃の温度設定によれば、９５％の吸着分離除去を達成することができた。
【００６５】
以上、本発明の好適な実施例等についてそれぞれ説明したが、本発明は前述した各実施例に限定されることなく、例えば磁性体を構成する棒状体としては、磁性材料自体で成形されるもの以外に、磁性材料からなる粉体、粒体、球体、立方体等を透磁性材料により前述した種々の棒状体に外装した構成からなるものを使用できるばかりでなく、その他磁極体の形状や、棒状体の配置構成およびそれらの組み合わせ等について、本発明の精神を逸脱しない範囲内において、多くの設計変更を行うことが可能である。
【図面の簡単な説明】
【００６６】
【図１】本発明に係る微細磁性粒子の分離除去装置の第１の実施の形態としての原理構成を示す概略説明図である。
【図２】本発明に係る微細磁性粒子の分離除去装置の要部構成の一実施例を示すものであって、（ａ）は概略斜視図、（ｂ）は平面図、（ｃ）は正面図、（ｄ）は側面図である。
【図３】本発明に係る微細磁性粒子の分離除去装置の要部構成の別の実施例を示すものであって、（ａ）は概略斜視図、（ｂ）は平面図、（ｃ）は正面図、（ｄ）は側面図である。
【図４】本発明に係る微細磁性粒子の分離除去装置の要部構成のさらに別の実施例を示すものであって、（ａ）は概略斜視図、（ｂ）は平面図、（ｃ）は正面図、（ｄ）は側面図である。
【図５】本発明に係る微細磁性粒子の分離除去装置に使用する磁性体としての棒状体ユニットの構成例を示すものであって、（ａ）は概略斜視図、（ｂ）は平面図、（ｃ）は正面図、（ｄ）は側面図である。
【図６】本発明に係る微細磁性粒子の分離除去装置に使用する磁性体としての棒状体ユニットを収納するホルダの一実施例を示すものであって、（ａ）は概略斜視図、（ｂ）は正面図、（ｃ）は平面図、（ｄ）は側面図である。
【図７】本発明に係る微細磁性粒子の分離除去装置に使用する磁性体としての棒状体ユニットの別の構成例を示すものであって、（ａ）は概略斜視図、（ｂ）は平面図、（ｃ）は正面図、（ｄ）は側面図である。
【図８】本発明に係る微細磁性粒子の分離除去装置に使用する磁性体としての棒状体ユニットのさらに別の構成例を示すものであって、（ａ）は概略斜視図、（ｂ）は平面図、（ｃ）は正面図、（ｄ）は側面図である。
【図９】（ａ）〜（ｇ）は図５に示す磁性体としての棒状体ユニットの組み立てから図６に示すホルダへ組み込むまでの状態を順次示す説明図である。
【図１０】（ａ）〜（ｈ）は図８に示す磁性体としての棒状体ユニットの組み立てから図６に示すホルダへ組み込むまでの状態を順次示す説明図である。
【図１１】本発明に係る微細磁性粒子の分離除去装置の第２の実施の形態としての原理構成を示す概略説明図である。
【符号の説明】
【００６７】
１０  ヨーク
１２Ａ、１２Ｂ  電磁コイル
１４Ａ、１４Ｂ  磁極体（永久磁石）
１５Ａ、１５Ｂ  磁極板
１６  通路
１７Ａ  凸部
１７Ｂ  凹部
１８  磁性体
２０  棒状体
２０ａ、２０ｂ  棒状体
２２  棒状体ユニット
２２Ａ、２２Ｂ、２２Ｃ  棒状体ユニット
２３Ａ、２３Ｂ  支持板
２４Ａ、２４Ｂ  支持板
２５  結合部材
２６Ａ、２６Ｂ  支持板
３０  ホルダ
３２Ａ  上部フランジ
３２Ｂ  下部フランジ
３３  運搬用ハンドル
３４  通路部形成開口
３６  通路部形成本体
４０  加熱装置
【図１】
2008018422.tif 000003
【図２】
2008018422.tif 000004
【図３】
2008018422.tif 000005
【図４】
2008018422.tif 000006
【図５】
2008018422.tif 000007
【図６】
2008018422.tif 000008
【図７】
2008018422.tif 000009
【図８】
2008018422.tif 000010
【図１１】
2008018422.tif 000011
【図９】
2008018422.tif 000012
【図１０】
2008018422.tif 000013
【手続補正書】
【提出日】平成19年5月30日(2007.5.30)
【手続補正１】
【補正対象書類名】特許請求の範囲
【補正対象項目名】請求項２
【補正方法】変更
【補正の内容】
【請求項２】
電磁石または永久磁石からなる一対の磁極体をそれぞれ異極性に付勢ないし保持して対向配置し、前記一対の磁極体の対向面間に、微細磁性粒子を含む流動体を流過させる通路を形成し、前記通路の内面側に流過する流動体を加熱するための加熱装置を配設すると共に、前記通路内に規則的または不規則的に所要間隔離間して位置する微細磁性粒子を吸着するための磁性体を配置したことを特徴とする微細磁性粒子の分離除去装置。
【手続補正２】
【補正対象書類名】明細書
【補正対象項目名】００２１
【補正方法】変更
【補正の内容】
【００２１】
さらにまた、本発明においては、前記構成からなる微細磁性粒子の分離除去するための構成において、微細磁性粒子を含む流動体を流過させる通路の内面側に、ここを流過する流動体を加熱するための加熱装置を配設することによって、例えば、異なるキュリー温度を有する強磁性材からなる粒子ないし粉体の選別を簡便に行うことができる。
【手続補正３】
【補正対象書類名】明細書
【補正対象項目名】００２５
【補正方法】変更
【補正の内容】
【００２５】
本発明の請求項２に記載の微細磁性粒子の分離除去装置は、電磁石または永久磁石からなる一対の磁極体をそれぞれ異極性に付勢ないし保持して対向配置し、前記一対の磁極体の対向面間に、微細磁性粒子を含む流動体を流過させる通路を形成し、前記通路の内面側に流過する流動体を加熱するための加熱装置を配設すると共に、前記通路内に規則的または不規則的に所要間隔離間して位置する微細磁性粒子を吸着するための磁性体を配置したことを特徴とする。
【手続補正４】
【補正対象書類名】明細書
【補正対象項目名】００５７
【補正方法】変更
【補正の内容】
【００５７】
図１１において、それぞれ異極性に付勢ないし保持された１対の磁極体１４Ａ、１４Ｂの対向面は、相互に所要間隔で離間させて配置され、その対向面間には、微細磁性粒子を含む流動体を流過させるための通路１６が形成される。このように形成された通路１６内には、規則的または不規則的に所要間隔離間して位置するように、微細磁性粒子を吸着分離するための磁性体１８を配置した構成からなる。しかるに、本実施の形態においては、前記微細磁性粒子を含む流動体を流過させる通路１６の内面側に、ここを流過する流動体を加熱するための加熱装置４０を配設した構成からなる。なお、この第２の実施の形態においても、前述した第１の実施の形態と同様に、前記１対の磁極体１４Ａ、１４Ｂを異極性に保持する手段として、電磁石に代えて永久磁石を使用することができることは、勿論である。